(57)【要約】【課題】セルモニタコネクタの取り付けの作業性を良くすること。【解決手段】第１の面２３１ｋをガイド部２４１Ｂに沿わせながら、セルモニタコネクタ２３０を挿入する。ガイド部２４１Ｂは、剛性が高く、挿入を案内する機能を発揮する。更にセルモニタコネクタ２３０を挿入すると、セルモニタコネクタ２３０が出っ張り部２４３Ａに接触する。セルモニタコネクタ２３０のＸ３方向の幅は、幅Ｌ１である。Ｘ１方向について、ガイド部２４１Ｂと出っ張り部２４３Ａとの隙間は、隙間Ｌ２である。隙間Ｌ２は、幅Ｌ１よりも狭い。このため、取り付けが完了した状態において、出っ張り部２４３Ａは、弾性変形し、第２の面２３１ｍをＸ３方向に押圧する。この力によって、セルモニタコネクタ２３０は、出っ張り部２４３Ａと、ガイド部２４１Ｂとに挟まれて保持される。【選択図】図８
2019075340.tif 000002
【特許請求の範囲】
【請求項１】
ハウジングと前記ハウジングに収容された接続端子とを備え、燃料電池用のセルに電気的に接続されるセルモニタコネクタを、前記セルに含まれる第１セパレータに取り付ける方法であって、
前記セルは、第２セパレータと、前記第１及び第２セパレータの間に挟まれ、前記第１及び第２セパレータを絶縁する枠状の絶縁シートとを備え、
前記第１セパレータは、前記絶縁シートから露出し、前記セルモニタコネクタが取り付けられた状態において前記セルモニタコネクタと接触する露出部を備え、
前記露出部は、前記セルモニタコネクタが取り付けられた状態において、前記接続端子に接触する取付部と、前記ハウジングの第１の面に接触するガイド部とを備え、
前記絶縁シートは、前記ガイド部に向かい合う位置において、前記ガイド部に向かって出っ張る出っ張り部を備え、
前記セルモニタコネクタが取り付けられていない状態における前記ガイド部と前記出っ張り部との隙間は、前記第１の面と、前記ハウジングにおいて前記第１の面に対向する第２の面との距離よりも狭く、
前記第１の面を、前記ガイド部に接触させることによって位置決めする工程と、
前記第１の面を前記ガイド部に沿わせながら所定位置まで移動させることで、前記第２の面との接触によって前記出っ張り部を弾性変形させ、且つ、前記ハウジングの先端に設けられたスリット部によって前記取付部を挟み込む工程とを含む
セルモニタコネクタの取付方法。
【請求項２】
前記絶縁シートは、樹脂製であり、
前記第１セパレータは、金属製である
請求項１に記載のセルモニタコネクタの取付方法。
【請求項３】
前記位置決めする工程は、前記第１の面を前記ガイド部に接触させる前に、前記スリット部の角によって前記ガイド部を挟む工程を含み、前記スリット部の角によって前記ガイド部を挟んだ後、前記所定位置に向けて前記セルモニタコネクタを移動させることによって、前記第１の面を前記ガイド部に接触させる
請求項１から請求項２までの何れか一項に記載のセルモニタコネクタの取付方法。
【請求項４】
前記位置決めする工程の前に、前記ガイド部に沿って前記セルモニタコネクタを移動させる方向が鉛直方向になるように、前記セルを含む中間製品を回転移動させる工程を更に含む
請求項３に記載のセルモニタコネクタの取付方法。
【請求項５】
第１及び第２セパレータと、前記第１及び第２セパレータを絶縁する絶縁シートとを備える燃料電池用のセルと、
ハウジングと、前記ハウジングに収容された接続端子とを備え、前記第１セパレータに取り付けられたセルモニタコネクタと、
を備える燃料電池モジュールであって、
前記ハウジングは、第１の面と、前記第１の面に対向する第２の面とを備え、
前記第１セパレータは、前記絶縁シートから露出し、前記セルモニタコネクタと接触する露出部を備え、
前記露出部は、前記接続端子に接触する取付部と、前記第１の面に接触するガイド部とを備え、
前記絶縁シートは、前記ガイド部に向かい合う位置において、前記ガイド部に向かって出っ張り、前記第２の面を押圧する出っ張り部を備える
燃料電池モジュール。
【発明の詳細な説明】
【技術分野】
【０００１】
本開示は、燃料電池用のセルへのセルモニタコネクタの取付けに関する。
【背景技術】
【０００２】
特許文献１は、燃料電池用のセルを構成するフレーム部材の角部に切り欠きを設け、この切り欠きで露出したセパレータにセルモニタコネクタを差し込んで取り付ける手法を開示している。上記の切り欠きは、セルモニタコネクタが取り付けられた状態において、セルモニタコネクタの両側面を挟み込む壁を有する。両壁間の隙間は、セルモニタコネクタの幅よりも少し広い。このため、セルモニタコネクタを両壁間の隙間に入るように位置決めしてから、切り欠きに挿入すると、セルモニタコネクタをセパレータに取り付けることができる。
【先行技術文献】
【特許文献】
【０００３】
【特許文献１】特開２０１３−１２０６５５号公報
【発明の概要】
【発明が解決しようとする課題】
【０００４】
上記先行技術の場合、上記した位置決めが、両壁の何れかの方にずれてしまうと、セルモニタコネクタと壁とが干渉して、セルモニタコネクタを切り欠きに挿入することができない。このため、作業者は、セルモニタコネクタと両壁との位置関係を見定めて位置決めをする必要があり、作業性が悪かった。本開示は、上記を踏まえ、セルモニタコネクタの取り付けの作業性を良くすることを解決課題とする。
【課題を解決するための手段】
【０００５】
本開示の一形態は、ハウジングと前記ハウジングに収容された接続端子とを備え、燃料電池用のセルに電気的に接続されるセルモニタコネクタを、前記セルに含まれる第１セパレータに取り付ける方法であって；前記セルは、第２セパレータと、前記第１及び第２セパレータの間に挟まれ、前記第１及び第２セパレータを絶縁する枠状の絶縁シートとを備え；前記第１セパレータは、前記絶縁シートから露出し、前記セルモニタコネクタが取り付けられた状態において前記セルモニタコネクタと接触する露出部を備え；前記露出部は、前記セルモニタコネクタが取り付けられた状態において、前記接続端子に接触する取付部と、前記ハウジングの第１の面に接触するガイド部とを備え；前記絶縁シートは、前記ガイド部に向かい合う位置において、前記ガイド部に向かって出っ張る出っ張り部を備え；前記セルモニタコネクタが取り付けられていない状態における前記ガイド部と前記出っ張り部との隙間は、前記第１の面と、前記ハウジングにおいて前記第１の面に対向する第２の面との距離よりも狭く；前記第１の面を、前記ガイド部に接触させることによって位置決めする工程と；前記第１の面を前記ガイド部に沿わせながら所定位置まで移動させることで、前記第２の面との接触によって前記出っ張り部を弾性変形させ、且つ、前記ハウジングの先端に設けられたスリット部によって前記取付部を挟み込む工程とを含むセルモニタコネクタの取付方法である。この形態によれば、第１の面で、つまり１箇所に対してハウジングを位置決めするので、作業性が良くなる。さらに、取り付けを完了した状態において、出っ張り部が弾性変形しているので、ハウジングが出っ張り部とガイド部とに挟み込まれるので、セルモニタコネクタが保持される。
【０００６】
上記形態において、前記絶縁シートは、樹脂製であり；前記第１セパレータは、金属製でもよい。この形態によれば、出っ張り部の弾性変形を容易に実現できる。
【０００７】
上記形態において、前記位置決めする工程は、前記第１の面を前記ガイド部に接触させる前に、前記スリット部の角によって前記ガイド部を挟む工程を含み、前記スリット部の角によって前記ガイド部を挟んだ後、前記所定位置に向けて前記セルモニタコネクタを移動させることによって、前記第１の面を前記ガイド部に接触させてもよい。この形態によれば、スリット部の角によってガイド部を挟むことによって、位置決め作業がしやすくなる。
【０００８】
上記形態において、前記位置決めする工程の前に、前記ガイド部に沿って前記セルモニタコネクタを移動させる方向が鉛直方向になるように、前記セルを含む中間製品を回転移動させる工程を更に含んでもよい。この形態によれば、位置決めする工程がしやすくなる。
【０００９】
本開示は、上記以外の種々の形態で実現できる。例えば、上記の製造方法で製造された燃料電池モジュールとして実現できる。
【図面の簡単な説明】
【００１０】
【図１】燃料電池モジュールを示す斜視図。
【図２】燃料電池モジュールの組み立て工程を示すフローチャート。
【図３】燃料電池モジュールの組み立ての様子を示す斜視図。
【図４】セルモニタコネクタの取り付けの手順を示したフローチャート。
【図５】中間製品が回転した様子を示す側面図。
【図６】コネクタユニットの斜視図。
【図７】セルモニタコネクタが取り付けられている様子を示す図。
【図８】セルモニタコネクタが取り付けられている様子を示す図。
【図９】セルモニタコネクタが取り付けられた様子を示す図。
【図１０】図７における部位１０の拡大図。
【図１１】図９における１１−１１断面図。
【発明を実施するための形態】
【００１１】
図１は、燃料電池モジュール２０を示す斜視図である。燃料電池モジュール２０は、ケース２００と、エンドプレート２１０と、セルモニタ２２０と、複数のセルモニタコネクタ２３０と、複数のセル２４０とを備える。複数のセル２４０の全てと、ケース２００と、エンドプレート２１０とを合わせて、中間製品２５０とも呼ぶ。
【００１２】
ケース２００は、複数のセル２４０を収容する。セルモニタ２２０は、ケース２００の上部に固定されている。複数のセルモニタコネクタ２３０それぞれは、発電電圧を測定するために、燃料電池用のセル２４０に電気的に接続される部品である。複数のセルモニタコネクタ２３０それぞれは、ケーブル２３９（図７等）を介して、セルモニタ２２０に接続されている。
【００１３】
図１に示すように、右手系の直交座標系であるＸ１−Ｙ１−Ｚ座標系を定義する。Ｚ−Ｘ１平面は水平面と平行である。Ｙ１方向プラス向きは鉛直方向上向きを示し、Ｙ１方向マイナス向きは鉛直方向下向きを示す。Ｘ１−Ｙ１平面は、セル２４０の面方向と平行である。Ｚ方向は、セル２４０の積層方向と平行である。
【００１４】
接続部２２１は、セルモニタ２２０の上部に設けられている。接続部２２１に、セル電圧の検出用回路に接続するためのプラグを挿入することによって、セルモニタ２２０による検出結果を検出用回路に入力することができる。
【００１５】
図２は、燃料電池モジュール２０の組み立て工程を示すフローチャートである。まず、図３に示すように、作業者は、積層体２４をケース２００に収容する（Ｓ３１０）。積層体２４は、積層した複数のセル２４０のことである。
【００１６】
図３に示すように、ケース２００は、第１側壁２０１と、第２側壁２０２と、上開口部２０３と、横開口部２０４とを備える。第１側壁２０１及び第２側壁２０２は、Ｘ１−Ｙ１平面と直交する面を有する。つまり、第１側壁２０１及び第２側壁２０２は、セル２４０の面方向と直交する面を有する。上開口部２０３は、ケース２００の上面を開口する。上開口部２０３は、第２側壁２０２よりも第１側壁２０１に近くに位置する。
【００１７】
横開口部２０４は、ケース２００の側方を開口する。作業者は、積層体２４を、横開口部２０４を通じてケース２００内に挿入する。このため、作業者は、積層体２４をケース２００に対して、Ｚ方向（つまり積層体２４の積層方向）に相対移動させる。
【００１８】
続いて、作業者は、エンドプレート２１０を固定する（Ｓ３２０）。これによって、中間製品２５０が完成する。次に、作業者は、セルモニタコネクタ２３０を取り付ける（Ｓ３３０）。次に、作業者は、セルモニタ２２０を取り付ける（Ｓ３４０）。これによって、燃料電池モジュール２０が完成する。
【００１９】
図４は、セルモニタコネクタ２３０の取り付け（Ｓ３３０）の手順を示したフローチャートである。まず、作業者Ｗは、中間製品２５０を回転させる（Ｓ３３２）。作業者Ｗは、Ｓ３３０を実施する作業者のことである。符号が付されていない作業者は、Ｓ３３０以外を実施する作業者である。但し、作業者Ｗが、Ｓ３３０以外の作業を実施してもよい。
【００２０】
図５は、中間製品２５０が回転した様子を示す。中間製品２５０は、Ｚ方向を中心に、α度、回転させられた状態で固定される。中間製品２５０の回転および固定には、図示しない機械が用いられる。本実施形態におけるα度は４５度である。
【００２１】
図５に示すように、中間製品２５０に対して、Ｘ２−Ｙ２−Ｚ座標系を定義する。Ｘ２−Ｙ２−Ｚ座標系は、中間製品２５０が回転する前においてはＸ１−Ｙ１−Ｚ座標系と一致している。Ｘ２−Ｙ２−Ｚ座標系は、中間製品２５０に対して定義されているので、中間製品２５０の回転に伴って回転する。このため、Ｙ１方向とＹ２方向とがなす角度はα度である。
【００２２】
次に、作業者Ｗは、５つのセルモニタコネクタ２３０から構成されるコネクタユニット２３を、取り付け対象のセル２４０に対して位置決めする（Ｓ３３４）。以下、コネクタユニット２３について説明し、その後に、位置決めについて説明する。
【００２３】
図６は、コネクタユニット２３の斜視図である。正確には、図６は、コネクタユニット２３を組み付けている最中の様子を示す。
【００２４】
コネクタユニット２３は、４つの第１コネクタ２３０ａと、１つの第２コネクタ２３０ｂとによって構成されている。第１コネクタ２３０ａと、第２コネクタ２３０ｂとを区別しない場合には、セルモニタコネクタ２３０と呼ぶ。
【００２５】
セルモニタコネクタ２３０は、ハウジング２３１と、接続端子２３８（図１１）とを備える。接続端子２３８は、各々のハウジング２３１内部に設けられ、第１セパレータと、ケーブル２３９とを電気的に接続する。第１コネクタ２３０ａと第２コネクタ２３０ｂとの違いはハウジング２３１の形状のみである。図６は、ケーブル２３９と、接続端子２３８との図示は省略されている。
【００２６】
コネクタユニット２３に対して、右手系の直交座標系であるＸ３−Ｙ３−Ｚ３座標系を定義する。Ｚ３方向は、セルモニタコネクタ２３０の配列方向である。第２コネクタ２３０ｂが配置された側が、マイナス側である。Ｙ３方向は、セルモニタコネクタ２３０の長手方向である。セルモニタコネクタ２３０の先端が、マイナス側である。Ｘ３方向は、セルモニタコネクタ２３０の短手方向である。突起部２３１ｆ（後述）が配置された側が、マイナス側である。
【００２７】
ハウジング２３１の材質は、絶縁性を有する樹脂である。ハウジング２３１は、貫通部２３１ａ、２つの係合雄部２３１ｂ、２つの係合雌部２３１ｃ、及びスリット部２３１ｅ及び突起部２３１ｆを備える。このうち、突起部２３１ｆ及び２つの係合雄部２３１ｂは、第２コネクタ２３０ｂのハウジング２３１には備えられていない。
【００２８】
貫通部２３１ａは、ハウジング２３１におけるＸ３方向の略中央において、Ｙ３方向に貫通している。接続端子２３８は、貫通部２３１ａ内に収容されている。
【００２９】
係合雄部２３１ｂは、隣接するセルモニタコネクタ２３０と連結するための部位である。２つの係合雄部２３１ｂは、ハウジング２３１のＺ３方向マイナス側の面に設けられている。２つの係合雄部２３１ｂは、ハウジング２３１のＸ３方向に間隔を開けて設けられている。
【００３０】
係合雄部２３１ｂは、Ｙ３方向に沿って延びている部位である。係合雄部２３１ｂは、第１部分２３１ｇと第２部分２３１ｈとを備える。第１部分２３１ｇ及び第２部分２３１ｈは、Ｙ３方向から見ると、Ｌ字型を形成している。第１部分２３１ｇは、Ｌ字の横棒に相当し、ハウジング２３１の基部と第２部分２３１ｈとを繋ぐ。第２部分２３１ｈは、Ｌ字の縦棒に相当する。
【００３１】
Ｘ３方向マイナス側の係合雄部２３１ｂの第２部分２３１ｈは、第１部分２３１ｇから上側に突き出ており、Ｘ３方向プラス側の係合雄部２３１ｂの第２部分２３１ｈは、第１部分２３１ｇから下側に突き出ている。このため、Ｘ３方向マイナス側の係合雄部２３１ｂは、図６に示すように、Ｙ３方向プラス側から見るとＬ字に見える。一方、Ｘ３方向プラス側の係合雄部２３１ｂは、Ｘ３方向について反転させてＹ３方向マイナス側から見るとＬ字に見える。
【００３２】
係合雌部２３１ｃは、挿入部２３１ｉと、切り欠き部２３１ｊとを備える。挿入部２３１ｉには、Ｚ３方向プラス側で隣接する第１コネクタ２３０ａの第２部分２３１ｈが挿入される。挿入部２３１ｉは、Ｘ３方向について貫通部２３１ａを挟むように配置されている。挿入部２３１ｉは、Ｙ３方向から見ると、ほぼ矩形形状の空間である。
【００３３】
切り欠き部２３１ｊには、Ｚ３方向プラス側で隣接する第１コネクタ２３０ａの第１部分２３１ｇが挿入される。切り欠き部２３１ｊは、挿入部２３１ｉと連続した空間である。
【００３４】
係合雄部２３１ｂ及び係合雌部２３１ｃの係合によれば、Ｙ３方向についての移動が許容される。また、係合雄部２３１ｂは、Ｚ３−Ｘ３平面方向について、係合雌部２３１ｃに対して隙間を有する。このため、作業者Ｗは、コネクタユニット２３として組み付けられた状態を維持しつつ、隣接するセルモニタコネクタ２３０同士の相対的な位置関係を或る程度、ずらすことができる。これによって、セル２４０同士の組み付け位置が多少、ずれていても、コネクタユニット２３としての５つのセルモニタコネクタ２３０を一遍に組み付けることができる。
【００３５】
スリット部２３１ｅは、セル２４０の一部である第１セパレータ２４１（図７）を挟み込むために設けられた切り込みである。
【００３６】
突起部２３１ｆは、作業者が、セルモニタコネクタ２３０のＸ３方向のプラス側とマイナス側とを区別しやすいように、且つ、第１コネクタ２３０ａと第２コネクタ２３０ｂとを区別しやすいように、第１コネクタ２３０ａのハウジング２３１に設けられている。
【００３７】
ハウジング２３１のＹ３−Ｚ３平面と平行な面であって、Ｘ３方向のプラス側に位置する面を、第１の面２３１ｋと呼ぶ。ハウジング２３１のＹ３−Ｚ３平面と平行な面であって、Ｘ３方向のマイナス側に位置する面を、第２の面２３１ｍと呼ぶ。第２の面２３１ｍは、第１の面２３１ｋに対向する。つまり、第２の面２３１ｍは、第１の面２３１ｋの反対側の面である。
【００３８】
セルモニタコネクタ２３０が取り付けられる部位は、図１に示すように、上開口部２０３においてケース２００から露出した部位である。図５に示すように、上開口部２０３は、第２側壁２０２よりも第１側壁２０１に近い。このため、作業者Ｗは、図５に示すように、第１側壁２０１の傍らに位置してＳ３３４及びＳ３３６としての作業を実施する。
【００３９】
Ｓ３３４として実行される位置決めについて説明する。図７〜図１１は、Ｓ３３４及びＳ３３６について詳しく説明するための図である。図７〜図９は、第１側壁２０１と、１枚のセル２４０と、１つのセルモニタコネクタ２３０とを示す。第１側壁２０１は、断面で示されている。１枚のセル２４０及び１つのセルモニタコネクタ２３０は、断面ではなく、側面が示されている。
【００４０】
図７〜図９は、セルモニタコネクタ２３０が取り付けられる様子を順に示している。図１０は、図７における部位１０の拡大図である。図１１は、図９における１１−１１断面を示す。図１１は、１つのコネクタユニット２３、つまり５つのセルモニタコネクタ２３０各々がセル２４０に取り付けられた様子を示す。
【００４１】
セル２４０は、図１１に示すように、第１セパレータ２４１と、第２セパレータ２４２と、絶縁シート２４３と、接続端子２３８とを備える。第１セパレータ２４１及び第２セパレータ２４２の主な材質は、金属であり、具体的にはチタンである。絶縁シート２４３の主な材質は、樹脂であり、具体的にはＰＥＴ樹脂である。ＰＥＴは、ポリエチレンテレフタレートのことである。第１セパレータ２４１及び第２セパレータ２４２の厚さは、約０．１ｍｍである。絶縁シート２４３の厚さは、約０．３ｍｍである。
【００４２】
絶縁シート２４３は、第１セパレータ２４１と第２セパレータ２４２とを絶縁する。更に、絶縁シート２４３は、第１セパレータ２４１と第２セパレータ２４２とを接着する機能と、第１セパレータ２４１と第２セパレータ２４２との間でガスを遮断する機能とを有する。絶縁シート２４３は、膜電極接合体（図示しない）を取り囲む枠状の部材である。膜電極接合体は、Ｘ２−Ｙ２平面の中央付近に配置されているので、１１−１１断面には表れていない。
【００４３】
図１１に示すように、２つの第１セパレータ２４１毎に、１つのセルモニタコネクタ２３０が取り付けられる。このように、セル２４０の数の半分の数のセルモニタコネクタ２３０を取り付ければよいので、作業時間が短縮される。なお、２つの第１セパレータ２４１毎に１つのセルモニタコネクタ２３０が取り付けられると、１つのセルモニタコネクタ２３０によって測定されるのは、２つのセル２４０の発電電圧である。
【００４４】
図７〜図９に示されたセル２４０の大部分は、第１セパレータ２４１である。後述する露出部２４１Ａ以外の部位においては、Ｘ２−Ｙ２平面方向について、第１セパレータ２４１及び第２セパレータ２４２の縁よりも、絶縁シート２４３が、はみ出ている。このように絶縁シート２４３がはみ出ているのは、絶縁性を確保するためである。
【００４５】
第１セパレータ２４１には、切り欠き３００が設けられている。切り欠き３００は、第１セパレータ２４１の縁の一部が切り欠かれた形状を形成する。第１セパレータ２４１には、切り欠き３００の周囲に、露出部２４１Ａが設けられている。露出部２４１Ａは、セルモニタコネクタ２３０を取り付けるために、図１１に示すように、絶縁シート２４３及び第２セパレータ２４２から露出している。つまり、露出部２４１Ａは、第１セパレータ２４１の他の部位と異なり、絶縁シート２４３及び第２セパレータ２４２に覆われることなく、むき出しになっている。
【００４６】
露出部２４１Ａは、ガイド部２４１Ｂと、取付部２４１Ｃとを備える。接続端子２３８は、取付部２４１Ｃにおいて第１セパレータ２４１と接触することで、第１セパレータ２４１と導通する。ガイド部２４１Ｂの機能については後述する。
【００４７】
絶縁シート２４３は、出っ張り部２４３Ａを備える。出っ張り部２４３Ａは、ガイド部２４１Ｂと向かい合う位置において、ガイド部２４１Ｂに向かって出っ張った部位である。
【００４８】
作業者Ｗは、Ｓ３３４の初めの作業として、図７及び図１０に示すように、スリット部２３１ｅの角で、ガイド部２４１Ｂを挟む。ここでいうスリット部２３１ｅの角とは、スリット部２３１ｅにおけるＸ３方向プラス側の端、且つ、Ｙ３方向マイナス側の端のことである。
【００４９】
作業者Ｗは、スリット部２３１ｅの角でガイド部２４１Ｂを挟んだら、セルモニタコネクタ２３０を取付部２４１Ｃに向けて移動させる。以下、セルモニタコネクタ２３０を取付部２４１Ｃに向けて移動させることを、「セルモニタコネクタ２３０を挿入する」又は単に「挿入」と表現する。また、セルモニタコネクタ２３０を挿入する方向を、挿入方向Ｓと呼ぶ。
【００５０】
挿入方向Ｓは、Ｙ２方向に対して平行でなく、作業者Ｗから見て奥から手前に向かう角度が付けられている。これは、露出部２４１Ａを貫通穴２４９からできるだけ遠ざけるためである。貫通穴２４９は、セル２４０が積層されることでマニホールドとして機能する。
【００５１】
Ｓ３３２において中間製品２５０を回転させているので、挿入方向Ｓに沿うように、作業者Ｗが覗き込むことが容易になる。作業者Ｗの目線が挿入方向Ｓに沿っていると、上記の目視による確認がしやすくなる。なぜなら、視線の奥には、視認の妨げになる他の部材が無く、ガイド部２４１Ｂに目の焦点を合わせやすいからである。仮に視線がＹ２方向に沿っていると、視線の奥に絶縁シート２４３の縁が見えてしまい、ガイド部２４１Ｂに目の焦点を合わせ難くなる。
【００５２】
図７に示すように、Ｙ１方向および挿入方向Ｓがほぼ一致しているのは、Ｙ２方向と、挿入方向Ｓとがなす角度が、α度だからである。つまり、Ｓ３３２においては、挿入方向Ｓが、鉛直方向になるように回転角が決定されている。なお、挿入方向Ｓは、作業性を考慮し、Ｙ１方向に対し角度を付けてもよい。
【００５３】
スリット部２３１ｅがガイド部２４１Ｂを挟んだ状態で、作業者Ｗが挿入を続けると、スリット部２３１ｅのＹ３方向プラス側の端部が、ガイド部２４１Ｂに接触する。
【００５４】
作業者Ｗが更に挿入を続けると、スリット部２３１ｅがガイド部２４１Ｂから外れて、セルモニタコネクタ２３０が僅かにＸ１方向マイナス側に移動する。そして、第１の面２３１ｋがガイド部２４１Ｂに接触する。この段階で、Ｓ３３４が完了し、Ｓ３３６が開始される。但し、作業者は、Ｓ３３４及びＳ３３６を連続的に実行するため、Ｓ３３４及びＳ３３６の切り替わりを区別したり認識したりする必要は無い。また、作業者Ｗは、スリット部２３１ｅのＹ３方向プラス側の端部をガイド部２４１Ｂに接触させることなく、第１の面２３１ｋをガイド部２４１Ｂに接触させてもよい。
【００５５】
次に、作業者Ｗは、Ｓ３３６として、第１の面２３１ｋをガイド部２４１Ｂに沿わせながら、挿入をする。第１セパレータ２４１は、チタン製であるので、剛性が高い。このため、ガイド部２４１Ｂは、挿入を案内する機能を発揮することができる。
【００５６】
作業者Ｗが更に挿入を続けると、図８に示すように、セルモニタコネクタ２３０が出っ張り部２４３Ａに接触する。図８に示すように、セルモニタコネクタ２３０のＸ３方向の幅は、幅Ｌ１である。つまり、第１の面２３１ｋと第２の面２３１ｍとの距離は、幅Ｌ１である。一方、Ｘ１方向について、ガイド部２４１Ｂと出っ張り部２４３Ａとの隙間は、隙間Ｌ２である。隙間Ｌ２は、幅Ｌ１よりも狭い。
【００５７】
このため、図８に示した状態から、作業者Ｗが更に挿入をすると、ハウジング２３１と、第１セパレータ２４１と、出っ張り部２４３Ａが各々、弾性変形する。但し、材質や形状の違いに起因して、セルモニタコネクタ２３０の剛性、及び第１セパレータ２４１の剛性の各々は、出っ張り部２４３Ａの剛性に比べて著しく高い。このため、ハウジング２３１及び第１セパレータ２４１の変形量はごく微小である。この結果、Ｘ１方向についての出っ張り部２４３Ａの変形量は、（Ｌ１−Ｌ２）にほぼ等しい。
【００５８】
上記のように出っ張り部２４３Ａが弾性変形した後、作業者Ｗが更に挿入をし、セルモニタコネクタ２３０が所定位置に到達すると、図９及び図１１に示すように、スリット部２３１ｅが取付部２４１Ｃを挟み込む。これによって、Ｓ３３６が完了する。
【００５９】
取り付けが完了した状態において、出っ張り部２４３Ａが弾性変形しているため、出っ張り部２４３Ａは、第２の面２３１ｍをＸ３方向に押圧する。この力によって、セルモニタコネクタ２３０は、出っ張り部２４３Ａと、ガイド部２４１Ｂとに挟まれて保持される。
【００６０】
その後、作業者は、機械を操作し、中間製品２５０の角度を元に戻す（Ｓ３３８）。つまり、中間製品２５０を−α度、回転させることで、Ｙ１方向とＹ２方向とを一致させる。
【００６１】
以上に説明した本実施形態によれば、ガイド部２４１Ｂに対して、セルモニタコネクタ２３０を位置決めする作業が容易になる。作業者Ｗは、スリット部２３１ｅの角がガイド部２４１Ｂを挟んでいることを視認すれば、あとは挿入するだけで、セルモニタコネクタ２３０の取り付けができる。つまり、作業者Ｗは、スリット部２３１ｅの角がガイド部２４１Ｂを挟んでいることを視認すれば、Ｘ２−Ｙ２平面方向（セルモニタ２２０の平面方向）の位置決めができていることを確認できる。このため作業性が良く、作業者Ｗは、短時間でセルモニタコネクタ２３０の取り付けができるようになる。
【００６２】
また、スリット部２３１ｅの角でガイド部２４１Ｂを挟む際、図７に示すように、第２の面２３１ｍが他の部材と干渉することは殆どあり得ない。これは、挿入方向ＳがＹ２方向とα度の角度をなすため、スリット部２３１ｅの角でガイド部２４１Ｂを挟む際、第２の面２３１ｍに対し、Ｘ２方向で近接する部材が存在しないからである。このため、作業者Ｗは、スリット部２３１ｅの角がガイド部２４１Ｂを挟む作業を容易に実行できる。
【００６３】
さらに、出っ張り部２４３Ａの弾性変形を利用して、セルモニタコネクタ２３０を第１セパレータ２４１に保持するので、取り付けだけでなく、取り外して再び取り付けることを容易に実行できる。
【００６４】
本開示は、本明細書の実施形態や実施例に限られるものではなく、その趣旨を逸脱しない範囲において種々の構成で実現できる。例えば、発明の概要の欄に記載した各形態中の技術的特徴に対応する実施形態、実施例中の技術的特徴は、先述の課題の一部又は全部を解決するために、或いは、先述の効果の一部又は全部を達成するために、適宜、差し替えや、組み合わせができる。その技術的特徴が本明細書中に必須なものとして説明されていなければ、適宜、削除できる。例えば、以下のものが例示される。
【００６５】
絶縁シート２４３の材質が樹脂、第１セパレータ２４１の材質が金属の組み合わせでなくてもよい。例えば、第１セパレータ２４１は、導電性のカーボン等でもよい。
【００６６】
作業者Ｗは、スリット部２３１ｅの角によってガイド部２４１Ｂを挟む手順を省略して、直接、第１の面２３１ｋをガイド部２４１Ｂに接触させてもよい。
中間製品２５０の回転角度は、何度でもよいし、回転させなくてもよい。
【００６７】
セルモニタコネクタ２３０は、全てのセル２４０に１つずつ取り付けてもよい。或いは、セルモニタコネクタ２３０は、ｎ（≧３）枚毎のセル２４０に、１つずつ取り付けてもよい。
【００６８】
コネクタユニット２３に含まれるセルモニタコネクタ２３０の数は、いくつでもよい。例えば、１つでもよく、この場合は、１つのセルモニタコネクタ２３０そのものがコネクタユニット２３を構成する。
【００６９】
露出部２４１Ａは、絶縁シート２４３から露出していれば、第２セパレータ２４２から露出していなくてもよい。この場合、セルモニタコネクタ２３０を取り付ける際に、セルモニタコネクタ２３０の先端付近を、第１セパレータ２４１と第２セパレータ２４２との間に差し込んでもよい。
【符号の説明】
【００７０】
２０…燃料電池モジュール
２３…コネクタユニット
２４…積層体
２００…ケース
２０１…第１側壁
２０２…第２側壁
２０３…上開口部
２０４…横開口部
２１０…エンドプレート
２２０…セルモニタ
２２１…接続部
２３０…セルモニタコネクタ
２３０ａ…第１コネクタ
２３０ｂ…第２コネクタ
２３１…ハウジング
２３１ａ…貫通部
２３１ｂ…係合雄部
２３１ｃ…係合雌部
２３１ｅ…スリット部
２３１ｆ…突起部
２３１ｇ…第１部分
２３１ｈ…第２部分
２３１ｉ…挿入部
２３１ｊ…切り欠き部
２３１ｋ…第１の面
２３１ｍ…第２の面
２３８…接続端子
２３９…ケーブル
２４０…セル
２４１…第１セパレータ
２４１Ａ…露出部
２４１Ｂ…ガイド部
２４１Ｃ…取付部
２４２…第２セパレータ
２４３…絶縁シート
２４３Ａ…出っ張り部
２４９…貫通穴
２５０…中間製品
３００…切り欠き
Ｌ１…幅
Ｌ２…隙間
Ｗ…作業者
【図１】
2019075340.tif 000003
【図２】
2019075340.tif 000004
【図３】
2019075340.tif 000005
【図４】
2019075340.tif 000006
【図５】
2019075340.tif 000007
【図６】
2019075340.tif 000008
【図７】
2019075340.tif 000009
【図８】
2019075340.tif 000010
【図９】
2019075340.tif 000011
【図１０】
2019075340.tif 000012
【図１１】
2019075340.tif 000013